(57)【要約】【課題】前面衝突時においても、強電ハーネスを損傷ひいては切断することがない、ハイブリッド車のインバータと電動エアコンとの強電ハーネスの配策構造を提供する。【解決手段】フロントエンジンルームのエンジン１の車両左上にインバータ２を配置し、インバータ２の車両後方にエンジン１の吸排気装置の一部をなすエアクリーナー３を配置し、インバータ２とエンジン１との間にエアクリーナー３に接続され吸排気装置の一部をなす吸気ダクト４を配置し、エンジン１の車両右下前方に電動エアコン５を配置して、インバータ２から電動エアコン５に電力を供給する強電ハーネス６を、車体側のラジエタコアサポート８とエンジン１の車両前面との間を迂回させて配策することを特徴とするハイブリッド車のインバータと電動エアコンとの強電ハーネスの配策構造。【選択図】図１
2006175926.tif 000002
【特許請求の範囲】
【請求項１】
フロントエンジンルームのエンジンの車両左上にインバータを配置し、当該インバータの車両後方にエンジンの吸排気装置の一部をなすエアクリーナーを配置し、当該インバータとエンジンとの間に前記エアクリーナーに接続され吸排気装置の一部をなす吸気ダクトを配置し、前記エンジンの車両右下前方に電動エアコンを配置して、当該インバータから前記電動エアコンに電力を供給する強電ハーネスを、車体側のラジエタコアサポートと前記エンジンの車両前面との間を迂回させて配策することを特徴とするハイブリッド車のインバータと電動エアコンとの間の強電ハーネスの配策構造。
【請求項２】
前記強電ハーネスを、前記エンジンの下方に位置する井桁サブフレームの上面に固定し、配策することを特徴とする請求項１に記載のハイブリッド車のインバータと電動エアコンとの間の強電ハーネスの配策構造。
【請求項３】
車両前方視において、前記強電ハーネスの、前記井桁サブフレームへの第一の固定点を、前記エンジンの吸排気装置の一部をなすエキゾースト遮蔽板の外形線と前記井桁サブフレームの上面との電動エアコン側の交点よりも、電動エアコン側に位置させることを特徴とする請求項２に記載のハイブリッド車のインバータと電動エアコンとの間の強電ハーネスの配策構造。
【請求項４】
車両前方視において、前記強電ハーネスの、前記井桁サブフレームへの第一の固定点を、前記強電ハーネスの前記電動エアコンからの出口を通る鉛直線上に位置させることを特徴とする請求項３に記載のハイブリッド車のインバータと電動エアコンとの間の強電ハーネスの配策構造。
【請求項５】
車両前方視において、前記井桁サブフレームに先端に前記強電ハーネスを把持するクリップを揺動自在に設けたくの字形状のブラケットを設け、前記クリップにより、前記強電ハーネスを固定して、前記井桁サブフレームへの第一の固定点を前記出口と前記井桁サブフレームとの間に位置させることを特徴とする請求項４に記載のハイブリッド車のインバータと電動エアコンとの間の強電ハーネスの配策構造。
【請求項６】
車両前方視において、前記強電ハーネスの、前記井桁サブフレームへの第二の固定点を、前記強電ハーネスの前記電動エアコンからの出口を通る鉛直線よりも車両左側に位置させて設けるとともに、前記クリップにより固定される部分の強電ハーネスを、前記強電ハーネスの前記電動エアコンからの出口を通る鉛直線に対して傾斜させてなることを特徴とする請求項５に記載のハイブリッド車のインバータと電動エアコンとの間の強電ハーネスの配策構造。
【請求項７】
前記強電ハーネスを、前記エンジンの車両後面に固定して配策することを特徴とする請求項１に記載のハイブリッド車のインバータと電動エアコンとの間の強電ハーネスの配策構造。
【発明の詳細な説明】
【技術分野】
【０００１】
本発明は、ハイブリッド車におけるインバータと電動エアコン間の強電ハーネスの配策構造に関するものである。
【背景技術】
【０００２】
従来、ハイブリッド車においては、非特許文献１に記載され、図９に示すように、フロントエンジンルームのエンジン１の車両左上にインバータ２を配置し、インバータ５２の車両後方にエンジン１の吸排気装置の一部をなすエアクリーナー３を配置するとともに、インバータ２とエンジン１との間にエアクリーナー３に接続されて、これも吸排気装置の一部をなして、車両前後方向に延びる吸気ダクト４を配置し、前記エンジンの車両右下前方に電動エアコン５を配置して、インバータ２から電動エアコン５に電力を供給する強電ハーネス６を、電動エアコン５の上面から引き出し、エンジン１の前方に設けた吸排気装置の一部をなし、車両前方視において変形Ｔ字状をなすエンジン１の車両前面に設けられたエキゾースト遮蔽板７の車両右側を下方から上方に配策し、エンジン１の上面に伝わせて、インバータまで配策する構成が一般に採られてきた。ここでいう左右とは、車両前方に対しての左右である。また、エキゾースト遮蔽板７とは、エンジン１の吸排気装置の一部をなすエキゾーストマニホールド（多岐管）を外包することにより熱を遮断して、排気の熱をなるべくエンジンルーム内の他の機器に伝達させないようにするものである。なお、図９において、前突時は前面衝突時を、通常時は通常運転時を示す。
【非特許文献１】トヨタホームページ＞ショウルーム＞アルファードハイブリッド＞トヨタハイブリッドシステムレイアウト図［平成１６年１２月２１日検索］（URL:http://www.toyota.jp/Showroom/All_toyota_lineup/alphardhybrid/menu/mechanism.html）
【発明の開示】
【発明が解決しようとする課題】
【０００３】
ところが、このようなインバータと電動エアコンとの間の強電ハーネスの配策構造においては、図９の問題に示すように、車両が前面衝突して、エンジンルームの前方に配置されて、図示しないラジエタの上面を支持するラジエタコアサポート８が車両後方に変位した場合に、ラジエタコアサポート８とエンジン１の車両前面との間に、強電ハーネス６が挟まれて、強電ハーネス６が損傷する、ひいては切断にいたるおそれがあった。なお、図９中９は、エンジン１を支持する井桁サブフレームを示す。
【０００４】
本発明の目的は、上述した課題を解決することであり、前面衝突時においても、強電ハーネスを損傷ひいては切断することがない、ハイブリッド車のインバータと電動エアコンとの強電ハーネスの配策構造を提供することにある。
【課題を解決するための手段】
【０００５】
請求項１に係るハイブリッド車のインバータと電動エアコンとの間の強電ハーネスの配策構造は、フロントエンジンルームのエンジンの車両左上にインバータを配置し、当該インバータの車両後方にエンジンの吸排気装置の一部をなすエアクリーナーを配置し、当該インバータとエンジンとの間に前記エアクリーナーに接続され吸排気装置の一部をなす吸気ダクトを配置し、前記エンジンの車両右下前方に電動エアコンを配置して、当該インバータから前記電動エアコンに電力を供給する強電ハーネスを、車体側のラジエタコアサポートと前記エンジンの車両前面との間を迂回させて配策することを特徴とする。
【発明の効果】
【０００６】
これによれば、ラジエタコアサポートとエンジンの車両前面との間に強電ハーネスが介在しないため、前面衝突時においてラジエタコアサポートが後方に変位しても、ラジエタコアサポートとエンジンの車両前面との間で、強電ハーネスが挟まれて、損傷ひいては切断にいたることを防止することができる。
【０００７】
なお、一般的なハイブリッド車の構成では、エンジンがフロントエンジンルームの車両右側に、インバータが車両左側に配置されているため、それに従い、エアクリーナーはインバータの車両後方つまりはエンジンの車両左側に、電動エアコンはエンジンの車両右下前方に配置されているが、エンジンとインバータの位置関係が左右逆の場合、つまりはエンジンが車両左側に、インバータが車両右側に配置される場合は、エアクリーナーはエンジンの車両右側に、電動エアコンはエンジンの車両左下前方に配置され、相互の位置関係が左右逆となることは言うまでもない。
また、以下に説明する、発明を実施するための最良の形態は、一般的なハイブリッド車の構成をもとに記載している。
【発明を実施するための最良の形態】
【０００８】
以下、本発明の実施の形態を図面に基づいて説明する。
図１は本発明に係るハイブリッド車のインバータと電動エアコンとの間の強電ハーネスの配策構造の一実施形態を、車両上方および車両前方から見て示す、模式図である。図１（ａ）は車両上方視を、図１（ｂ）は車両前方視を示す。なお、図１において、前突時は前面衝突時を、通常時は通常運転時を示す。
【０００９】
このハイブリッド車のインバータのインバータと電動エアコンとの間の強電ハーネスの配策構造は、図１に示すように、フロントエンジンルームのエンジン１の車両左上にインバータ２を配置し、インバータ２の車両後方にエンジン１の吸排気装置の一部をなすエアクリーナー３を配置し、インバータ２とエンジン１との間にエアクリーナー３に接続され吸排気装置の一部をなす吸気ダクト４を配置し、エンジン１の車両右下前方に電動エアコン５を配置して、インバータ２から電動エアコン５に電力を供給する強電ハーネス６を、車体側のラジエタコアサポート８とエンジン１の車両前面との間を迂回させて配策し、（請求項１に相当）その具体的手段として、強電ハーネス６を、エンジン１の下方に位置する井桁サブフレーム９の上面に固定し、配策することを特徴とする。（請求項２に相当）
なお、図１〜９において強電ハーネス６は全て点線で示しており、図中Ｆ／Ｖは車両前方視を示し、Ｐ／Ｖは車両上方視を示す。
【００１０】
ここでは、図１（ａ）に示す車両前方視において、強電ハーネス６は、電動エアコン５の上面から上方に出るとともに下方に湾曲させて、その延在方向を下方として井桁サブフレーム９の上面に導かれて、インバータ２の車両左側端に至るまで井桁サブフレーム９の上面を沿わせた後、再びその延在方向を上方に変換させてインバータ２の車両左側端面にまで導かれて、インバータ２に接続されている。
なお強電ハーネス６の井桁サブフレーム９への固定は、タイラップ等を用いる手法が考えられるが、特に限定するものではない。
【００１１】
請求項１に相当する構成によれば、図１中問題に示すように、ラジエタコアサポート８とエンジン１の車両前面との間に強電ハーネス６が介在しないため、前面衝突時においてラジエタコアサポート８が後方に変位しても、ラジエタコアサポート８とエンジン１の車両前面との間で、強電ハーネス６が挟まれて、損傷ひいては切断にいたることを防止することができる。
【００１２】
さらに、図９に示した配策構造においては、図９中の問題αに示すように、強電ハーネス６がエキゾースト遮蔽板７の高温部の車両右脇を通るため、強電ハーネス６が熱の影響を受けやすく、さらに、図９中の問題βに示すように、強電ハーネス６が吸気ダクト４を横切って通るため、強電ハーネス６を通すスペースを確保するために、吸気ダクト４を絞り、その断面積を制限する必要も生じていたが、請求項２に相当する構成によれば、図１中問題αに示すように、強電ハーネス６がエキゾースト遮蔽板７の高温部の車両右脇を通ることを廃することができるため、強電ハーネス６が熱の影響を受けることを防止することができる。さらに、図１中の問題βに示すように、強電ハーネス６が吸気ダクト４を横切って通ることも廃することができるため、強電ハーネス６を通すスペースを確保するために、吸気ダクト４を絞り、その断面積を制限する必要も廃することができる。
【００１３】
図２は本発明に係るハイブリッド車のインバータと電動エアコンとの間の強電ハーネスの配策構造の他の実施形態を、車両前方および車両上方から見て示す、模式図である。図２（ａ）は車両前方視を、図２（ｂ）は車両上方視を示す。なお、図２において、前突時は前面衝突時を、通常時は通常運転時を示す。
【００１４】
請求項１および２に相当する構成は図１に示したものと同様であり、その作用効果も同様であるため、その説明は割愛し、相違点のみを説明する。
ここではさらに、図２（ａ）に示す車両前方視において、強電ハーネス６の、井桁サブフレーム９への第一の固定点Ａを、エンジン１の吸排気装置の一部をなすエキゾースト遮蔽板７の外形線と井桁サブフレーム９の上面との電動エアコン側の交点を通る鉛直線Ｂよりも、電動エアコン側つまりは車両右側に位置させている。（請求項３に相当）
【００１５】
図２中の二点鎖線６ａは、請求項３を包含しない配策構造を示す。このように、第一の固定点Ａを前記鉛直線Ｂよりも電動エアコンと逆側に位置させると、ここでは図示しないラジエタコアサポートにより支持されて、車両前後方向に垂直な平面上に延在するラジエタ１０とエキゾースト遮蔽板７との間に強電ハーネス６が介在してしまうため、前面衝突時において、ラジエタ１０が車両後方に移動した場合には、ラジエタ１０とエキゾースト遮蔽板７とにより強電ハーネス６が挟まれて、強電ハーネスが熱の影響を受けやすくなる。
【００１６】
また、強電ハーネス６の電動エアコン５からの出口から、第一の固定点Ａまでの距離が長くなりすぎて、車両振動およびエンジン１の振動により、強電ハーネス６に振動が加わった場合に、それによる強電ハーネス６の揺動が大きくなり、強電ハーネス６とエキゾースト遮蔽板７とのクリアランス（隙間）が不足してしまう。
さらに、前面衝突以外の通常運転時においても、エキゾースト遮蔽板７の前側に隣接して、強電ハーネス６が延在することになるため、エキゾースト遮蔽板７の高温部による熱の影響を、強電ハーネス６が受けやすくなる。
【００１７】
そこで、前述したように、第一の固定点Ａを、エキゾースト遮蔽板７の外形線と井桁サブフレーム９の上面との電動エアコン側の交点を通る鉛直線Ｂよりも、電動エアコン側つまりは車両右側に位置させることにより、図２（ｂ）に示す車両上方視において、エキゾースト遮蔽板７とラジエタ１０との間に強電ハーネス６を介在させないことができるので、前面衝突時において、ラジエタ１０が車両後方に移動した場合に、ラジエタ１０とエキゾースト遮蔽板７とにより強電ハーネス６が挟まれて、強電ハーネスが高温にさらされてしまうことを防止することができる。
【００１８】
また、第一の固定点Ａを、エキゾースト遮蔽板７の外形線と井桁サブフレーム９の上面との電動エアコン側の交点を通る鉛直線Ｂよりも、電動エアコン側つまりは車両右側に位置させることにより、強電ハーネス６の電動エアコン５からの出口から、第一の固定点Ａまでの距離をなるべく短くすることができるので、車両振動およびエンジン１の振動により、強電ハーネス６に振動が加わった場合においても、それによる強電ハーネス６の揺動をなるべく小さくして、強電ハーネス６とエキゾースト遮蔽板７とのクリアランスを確保することができる。
【００１９】
さらに、第一の固定点Ａを、エキゾースト遮蔽板７の外形線と井桁サブフレーム９の上面との電動エアコン側の交点を通る鉛直線Ｂよりも、電動エアコン側つまりは車両右側に位置させることにより、前面衝突以外の通常運転時においても、エキゾースト遮蔽板７の前側に隣接して、強電ハーネス６が延在することを廃することができるため、エキゾースト遮蔽板７の高温部による熱の影響を、強電ハーネス６が受けることを防止することができる。
【００２０】
図３は本発明に係るハイブリッド車のインバータと電動エアコンとの間の強電ハーネスの配策構造の他の実施形態を、車両前方および車両上方から見て示す、模式図である。図３（ａ）は車両前方視を、図３（ｂ）は車両上方視を示す。
【００２１】
請求項１〜３に相当する構成は図２に示したものと同様であり、その作用効果も同様であるため、その説明は割愛し、相違点のみを説明する。
ここではさらに、図３（ａ）に示す車両前方視において、強電ハーネス６の、井桁サブフレーム９への第一の固定点Ａを、強電ハーネス６の電動エアコン５からの出口を通る鉛直線Ｃ上に位置させる。（請求項４に相当）
【００２２】
これによれば、強電ハーネス６の電動エアコン５からの出口から、第一の固定点Ａまでの距離をさらに短くすることができるので、車両振動およびエンジン１の振動により、強電ハーネス６に振動が加わった場合においても、それによる強電ハーネス６の揺動をさらに小さくして、強電ハーネス６とエキゾースト遮蔽板７をはじめとした周辺部品とのクリアランスを確保することができ、高いレイアウト効率が得られ、エンジンルームにスペース上の余裕がない場合において、より効率的な強電ハーネス６の配策を行うことができる。
【００２３】
図４は本発明に係るハイブリッド車のインバータと電動エアコンとの間の強電ハーネスの配策構造の他の実施形態を、車両前方から見て示す、模式図である。
請求項１〜４に相当する構成は図３に示したものと同様であり、その作用効果も同様であるため、その説明は割愛し、相違点のみを説明する。
【００２４】
ここではさらに、図４に示す車両前方視において、井桁サブフレーム９に先端に強電ハーネス６を把持するクリップ１１を車両前後方向に延びる中心軸線を中心として揺動自在に設けたくの字形状のブラケット１２を設け、クリップ１１により、強電ハーネス６を固定して、前記井桁サブフレーム９への第一の固定点Ａを前記出口と井桁サブフレーム９との間に位置させる。（請求項５に相当）
【００２５】
図５は、図４に示した配策構造の効果を、図３に示した配策構造と比較して示す模式図である。図５（ａ）は図３に示した配策構造を、図５（ｂ）は図４に示した配策構造を示す。
図３に示した配策構造においては、図５（ａ）に示すように、強電ハーネス６の電動エアコン５からの出口から、第一の固定点Ａまでの距離が、図２に示した配策構造との比較においては短くなっているものの、車両振動やエンジン１の振動に起因する振動により、前記出口から第一の固定点Ａまでの間に延在する強電ハーネス６が揺動すると、その揺動範囲Ｅ１はある程度は大きくなる。
【００２６】
そこで、図５（ｂ）に示すように、先端にクリップ１１を設けたくの字状のブラケット１２を井桁サブフレーム９に設けて、クリップ１１により、強電ハーネス６を固定して、前記井桁サブフレーム９への第一の固定点Ａを前記出口と井桁サブフレーム９との間に位置させることにより、前記出口から第一の固定点Ａまでの間に延在する強電ハーネス６の長さをさらに短くして、車両の振動およびエンジン１の振動に起因する、前記出口から第一の固定点Ａまでの間に延在する強電ハーネス６の揺動範囲Ｅ２をさらに小さくすることができる。これにより、強電ハーネス６とエキゾースト遮蔽板７をはじめとした周辺部品とのクリアランスを確保することができ、高いレイアウト効率が得られ、エンジンルームにスペース上の余裕がない場合においても、より効率的な強電ハーネス６の配策を行うことができる。
【００２７】
図６は本発明に係るハイブリッド車のインバータと電動エアコンとの間の強電ハーネスの配策構造（以下単に配策構造とも言う）の他の実施形態を、車両前方から見て示す、模式図である。
請求項１〜５に相当する構成は図４に示したものと同様であり、その作用効果も同様であるため、その説明は割愛し、相違点のみを説明する。
【００２８】
ここではさらに、図６に示す車両前方視において、強電ハーネス６の、井桁サブフレーム９への第二の固定点Ｄを、強電ハーネス６の電動エアコン５からの出口を通る鉛直線Ｃよりも車両左側に位置させて設けるとともに、クリップ１１により固定される部分の強電ハーネス６を、前記強電ハーネス６の電動エアコンからの出口を通る鉛直線Ｃに対して角度θだけ傾斜させている。（請求項６に相当）
【００２９】
図７は、図６に示した配策構造の効果を、図３に示した配策構造と比較して示す模式図である。図７（ａ）は図３に示した配策構造を、図７（ｂ）は図４に示した配策構造を示す。なお、図７において、前突時は前面衝突時を、通常時は通常運転時を示す。
図３に示した配策構造においては、図７（ａ）の問題４に示すように、強電ハーネス６の電動エアコン５からの出口から、第一の固定点Ａまでの間に延在する強電ハーネス６にたるみがないため、前面衝突時において、井桁サブフレーム９が下方に移動すると、強電ハーネス６は図７（ａ）中６ｂの二点鎖線に示すように引っ張られて、電動エアコン５と井桁サブフレーム９との上下方向の相対離隔変位に追従できずに、破断してしまうおそれがある。
【００３０】
そこで、図７（ｂ）に示すように、強電ハーネス６の、井桁サブフレーム９への第二の固定点Ｄを、強電ハーネス６の電動エアコン５からの出口を通る鉛直線Ｃよりも車両左側に位置させて設けるとともに、クリップ１１により固定される部分の強電ハーネス６を、前記強電ハーネス６の電動エアコンからの出口を通る鉛直線Ｃに対して角度θ１だけ傾斜させることにより、強電ハーネス６の電動エアコン５からの出口と、第二の固定点Ｄまでの間に位置する強電ハーネス６にたるみを持たせるとともに、くの字状のブラケット１２がその長さ方向に伸長可能であり、かつ、クリップ１１がブラケット１１に対して揺動可能であることに起因して、前面衝突時には、強電ハーネス６が上下方向に引っ張られ、第一の固定点Ａを井桁サブフレーム９から見て上方に移動させて、かつ前記角度θ１をθ２へと減少させて、強電ハーネスを、図７（ｂ）中６ｂの二点鎖線に示す位置に移動させることができる。これにより、前面衝突時における電動エアコン５と井桁サブフレーム９との上下方向の相対離隔変位を、強電ハーネス６が吸収できるようにして、強電ハーネス６が破断することを防止することができる。
【００３１】
図８は本発明に係るハイブリッド車のインバータと電動エアコンとの間の強電ハーネスの配策構造のさらに他の実施形態を、車両前方から見て示す、模式図である。
このハイブリッド車のインバータのインバータと電動エアコンとの間の強電ハーネスの配策構造は、図１に示すように、フロントエンジンルームのエンジン１の車両左上にインバータ２を配置し、インバータ２の車両後方にエンジン１の吸排気装置の一部をなすエアクリーナー３を配置し、インバータ２とエンジン１との間にエアクリーナー３に接続され吸排気装置の一部をなす吸気ダクト４を配置し、エンジン１の車両右下前方に電動エアコン５を配置して、インバータ２から電動エアコン５に電力を供給する強電ハーネス６を、車体側のラジエタコアサポート８とエンジン１の車両前面との間を迂回させて配策し、（請求項１に相当）その具体的手段として、強電ハーネス６を、エンジン１の車両後面に固定して配策することを特徴とする。（請求項７に相当）
【００３２】
請求項１に相当する構成によれば、図１に示した配策構造と同様に、図８中問題に示すように、ラジエタコアサポート８とエンジン１の車両前面との間に強電ハーネス６が介在しないため、前面衝突時においてラジエタコアサポート８が後方に変位しても、ラジエタコアサポート８とエンジン１の車両前面との間で、強電ハーネス６が挟まれて、損傷ひいては切断にいたることを防止することができる。また、請求項７に相当する構成によれば、図８中問題αに示すように、強電ハーネス６がエキゾースト遮蔽板７の高温部の車両右脇を通ることを廃することができるため、強電ハーネス６が熱の影響を受けることを防止することができる。さらに、図８中の問題βに示すように、強電ハーネス６が吸気ダクト４を横切って通ることも廃することができるため、強電ハーネス６を通すスペースを確保するために、吸気ダクト４を絞り、その断面積を制限する必要も廃することができる。
【００３３】
図８に示した配策構造は、図１に示した配策構造に比して、エキゾースト遮蔽板７から強電ハーネス６をより遠ざけることができるという利点を有するが、その反面、エンジン１の車両後方に強電ハーネス６を配策するスペースを確保しなければならず、かつ、エンジン１の車両後面に強電ハーネス６を固定する構造を新たに設ける必要があるため、改造の規模およびコストを抑制するためには、図１に示した配策構造の方が多少有利である。
【００３４】
なお、本発明は、上記実施の形態にのみ限定されるものではなく、幾多の変形または変更が可能である。
【産業上の利用可能性】
【００３５】
本発明のハイブリッド車のインバータと電動エアコンとの間の強電ハーネスの配策構造は、前面衝突に対してより高い安全性を得ることができるとともに、車両の信頼性を高めることができるものである。
【図面の簡単な説明】
【００３６】
【図１】本発明に係るハイブリッド車のインバータと電動エアコンとの間の強電ハーネスの配策構造の一実施形態を示す、模式図である。
【図２】本発明に係るハイブリッド車のインバータと電動エアコンとの間の強電ハーネスの配策構造の他の実施形態を示す、模式図である。
【図３】本発明に係るハイブリッド車のインバータと電動エアコンとの間の強電ハーネスの配策構造の他の実施形態を示す模式図である。
【図４】本発明に係るハイブリッド車のインバータと電動エアコンとの間の強電ハーネスの配策構造の他の実施形態を示す模式図である。
【図５】図４に示した本発明に係るハイブリッド車のインバータと電動エアコンとの間の強電ハーネスの配策構造の効果を示す模式図である。
【図６】本発明に係るハイブリッド車のインバータと電動エアコンとの間の強電ハーネスの配策構造のさらに他の実施形態を示す模式図である。
【図７】図６に示した本発明に係るハイブリッド車のインバータと電動エアコンとの間の強電ハーネスの配策構造の効果を示す模式図である。
【図８】本発明に係るハイブリッド車のインバータと電動エアコンとの間の強電ハーネスの配策構造の他の実施形態を示す、模式図である。
【図９】従来のハイブリッド車のインバータと電動エアコンとの間の強電ハーネスの配策構造を示す模式図である。
【符号の説明】
【００３７】
１  エンジン
２  インバータ
３  エアクリーナー
４  吸気ダクト
５  電動エアコン
６  強電ハーネス
７  エキゾースト遮蔽板
８  ラジエタコアサポート
９  井桁サブフレーム
１０  ラジエタ
１１  クリップ
１２  ブラケット
【図１】
2006175926.tif 000003
【図２】
2006175926.tif 000004
【図３】
2006175926.tif 000005
【図４】
2006175926.tif 000006
【図５】
2006175926.tif 000007
【図６】
2006175926.tif 000008
【図７】
2006175926.tif 000009
【図８】
2006175926.tif 000010
【図９】
2006175926.tif 000011